【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
高周波（ＲＦ）エネルギーハーベスティング装置であって、
第１のアンテナ端点と、第２のアンテナ端点と、前記第１のアンテナ端点および第２のアンテナ端点に接続され、関連する帯域幅内のＲＦ周波数で共振するよう構成される少なくとも１つの細長い導電構造体と、を含むアンテナであって、
第１のＲＦ信号が前記第１のアンテナ端点で生成され、第２のＲＦ信号が前記第２のアンテナ端点で生成され、前記第２のＲＦ信号と前記第１のＲＦ信号は位相が１８０°ずれるようになっている、アンテナと、
整流回路であって、
前記第１のアンテナ端点と第１のノードとの間に連結される第１のダイオードと、
前記第２のアンテナ端点と前記第１のノードとの間に連結される第１のキャパシタと、
前記第１のノードと第２のノードとの間に連結される第２のダイオードと、を含む整流回路と、を含み、
前記第１のダイオードが、前記第２のダイオードよりも低い順電圧を有し、前記第１のダイオードが前記第２のダイオードよりも低いピーク逆電圧を有し、これにより、前記第１のノードで生成される第１の中間電圧には、前記第１のダイオードを介して送られる前記第１のＲＦ信号の正電圧パルスと、前記第１のキャパシタを介して送られる前記第２のＡＣ信号の正電圧パルスとの合計が含まれ、これにより、第２の中間電圧が、前記第１のノードから前記第２のダイオードを介して送られる正電圧パルスに従って前記第２のノードで生成される、高周波（ＲＦ）エネルギーハーベスティング装置。
【請求項２】
前記アンテナおよび前記整流回路が、基板上に共形的に配置される導電材料および誘電材料のうちの少なくとも１つを含み、前記導電材料が前記基板の表面特徴と一致している、請求項１に記載のＲＦエネルギーハーベスティング装置。
【請求項３】
前記第１のダイオードおよび第２のダイオードが、ゼロバイアス電圧のショットキーダイオードを含む、請求項１に記載のＲＦエネルギーハーベスティング装置。
【請求項４】
前記整流回路が、前記アンテナに連結される１つ以上のインダクタをさらに含む、請求項１に記載のＲＦエネルギーハーベスティング装置。
【請求項５】
前記整流回路が、前記第２のノードに連結され、前記第２の中間電圧を直流（ＤＣ）出力電圧に変換するよう構成される出力制御回路をさらに含む、請求項１に記載のＲＦエネルギーハーベスティング装置。
【請求項６】
前記出力制御回路が、前記第２のノードと前記第１のアンテナ端点との間に連結される第２のキャパシタを含み、前記第２のキャパシタが、前記第１のキャパシタと同じ容量値を有する、請求項５に記載のＲＦエネルギーハーベスティング装置。
【請求項７】
前記出力制御回路が、前記第２のノードと前記第１のアンテナ端点との間に前記第２のキャパシタと並列接続される終端回路をさらに含み、前記終端回路が、抵抗と直列接続される第３のキャパシタを含む、請求項６に記載のＲＦエネルギーハーベスティング装置。
【請求項８】
前記出力制御回路が、前記第２のノードと出力ノードとの間に接続される第３のダイオードと、前記出力ノードに連結され、前記第３のノードで生成される電荷を一時的に蓄積するよう構成される蓄積キャパシタと、をさらに含む、請求項６に記載のＲＦエネルギーハーベスティング装置。
【請求項９】
前記アンテナが、モノポールアンテナを含み、
前記整流回路が、前記第１のアンテナ端点に連結される第１のインダクタと、前記第２のアンテナ端点に連結される第２のインダクタと、をさらに含み、前記第１のインダクタおよび第２のインダクタが、共通のインダクタンスを有し、バランスのとれた回路を形成する、請求項６に記載のＲＦエネルギーハーベスティング装置。
【請求項１０】
前記アンテナが、ダイポールアンテナを含み、前記ダイポールアンテナが、第１の実効インダクタンスを有する第１のアンテナ部と、第２の実効インダクタンスを有する第２のアンテナ部と、を含み、前記第１のアンテナ部および第２のアンテナ部は、前記第１の実効インダクタンスと第２の実効インダクタンスがほぼ同じになるよう構成される、請求項６に記載のＲＦエネルギーハーベスティング装置。
【請求項１１】
前記整流回路が、前記第１のアンテナ端点を介して前記第１のアンテナ部に連結される第１のインダクタと、前記第２のアンテナ端点を介して前記第２のアンテナ部に連結される第２のインダクタと、をさらに含み、前記第１のインダクタおよび第２のインダクタが、共通のインダクタンスを有し、バランスのとれた回路を形成する、請求項１０に記載のＲＦエネルギーハーベスティング装置。
【請求項１２】
複数のＲＦエネルギーハーベスティング装置を含む高周波（ＲＦ）エネルギーハーベスティングシステムであって、各ＲＦエネルギーハーベスティング装置が、
第１のアンテナ端点と、第２のアンテナ端点と、前記第１のアンテナ端点および第２のアンテナ端点に接続され、関連する帯域幅の範囲内のＲＦ周波数で共振するよう構成される少なくとも１つの細長い導電構造体と、を含むアンテナと、
整流回路であって、
前記第１のアンテナ端点と第１のノードとの間に連結される第１のダイオードと、
前記第２のアンテナ端点と前記第１のノードとの間に連結される第１のキャパシタと、
前記第１のノードと第２のノードとの間に連結される第２のダイオードであって、前記第１のダイオードが、前記第２のダイオードよりも低い順電圧を有し、前記第１のダイオードが、前記第２のダイオードよりも低いピーク逆電圧を有する、第２のダイオードと、
前記第２のノードと出力ノードとの間に連結される出力制御回路であって、前記第２のノードで生成される第２の中間電圧を直流（ＤＣ）出力電圧に変換するよう構成される出力制御回路と、を含む整流回路と、を含み、
前記複数のＲＦエネルギーハーベスティング装置が、互いに連結されて、組み合わされたシステムの出力電圧を生成する、高周波（ＲＦ）エネルギーハーベスティングシステム。
【請求項１３】
前記複数のＲＦエネルギーハーベスティング装置のそれぞれの前記出力制御回路が、
前記第２のノードと前記第２のアンテナ端点との間に連結される第２のキャパシタと、
前記第２のノードと前記出力ノードとの間に接続される第３のダイオードと、
前記出力ノードに連結される蓄積キャパシタと、を含む、請求項１２に記載のＲＦエネルギーハーベスティングシステム。
【請求項１４】
第１の前記ＲＦエネルギーハーベスティング装置の前記第１のアンテナ端点が、第２の前記ＲＦエネルギーハーベスティング装置の前記出力ノードに接続されるよう、前記複数のＲＦエネルギーハーベスティング装置が直列に接続される、請求項１２に記載のＲＦエネルギーハーベスティングシステム。
【請求項１５】
前記複数のＲＦエネルギーハーベスティング装置の全ての前記出力ノードが、共通のシステム出力ノードに接続される、請求項１２に記載のＲＦエネルギーハーベスティングシステム。
【請求項１６】
前記複数のＲＦエネルギーハーベスティング装置の全ての前記アンテナが、同じＲＦ周波数を有するＲＦ信号からＲＦエネルギーを集めるよう構成される、請求項１５に記載のＲＦエネルギーハーベスティングシステム。
【請求項１７】
前記複数のＲＦエネルギーハーベスティング装置のそれぞれの前記アンテナが、固有の範囲のＲＦ周波数を有するＲＦ信号からＲＦエネルギーを集めるよう構成される、請求項１５に記載のＲＦエネルギーハーベスティングシステム。
【請求項１８】
高周波（ＲＦ）エネルギーハーベスティング装置であって、
可撓性基板と、
前記可撓性基板上に共形的に配置され、関連する帯域幅の範囲内のＲＦ周波数で共振するよう構成される少なくとも１つの細長いアンテナ構造体と、第１のアンテナ端点と、第２のアンテナ端点と、を含むアンテナと、
整流回路であって、
前記可撓性基板上に共形的に配置される複数の導電線部と、
第１の前記導電線部を介して、前記第１のアンテナ端点に連結される第１のダイオードと、
第２の前記導電線部を介して、前記第２のアンテナ端点に連結される第１のキャパシタと、
第３の前記導電線部を介して、前記第１のキャパシタおよび前記第１のダイオードに連結される第２のダイオードと、を含む整流回路と、を含み、
前記第１のダイオードが、前記第２のダイオードよりも低い順電圧を有し、前記第１のダイオードが、前記第２のダイオードよりも低いピーク逆電圧を有する、高周波（ＲＦ）エネルギーハーベスティング装置。
【請求項１９】
前記第１のキャパシタおよび前記第２のキャパシタが、２つのプリント金属層の間に配置されるプリント誘電材料を含み、
前記第１のダイオードおよび前記第２のダイオードが、表面実装型のゼロバイアス電圧ショットキーダイオードを含む、請求項１８に記載のＲＦエネルギーハーベスティング装置。